(57)【特許請求の範囲】
【請求項１】
基板部１０に植毛１９を設けてなる歯ブラシ部１１を、その基板部１０を歯ブラシ柄４，５，６の先端部に設けた筒部７，８，９に嵌めて取り付ける構成の歯ブラシ１，２，３であって、前記基板部１０は、その環状凸部１５，１６,１７又は凹部１２，１３、１４を筒部７，８，９の環状凹部１２，１３、１４又は凸部１５，１６、１７に相互の弾性変形を利用して係合する構成とした歯ブラシ１，２，３において、前記基板部１０と筒部７，８，９の嵌め合いを、前記基板部１０の歯ブラシ柄４，５，６方向の凸部１７又は凹部１４と前記筒部７，８，９の歯ブラシ柄４，５，６方向の凹部１４又は凸部１７との間で行う構造としたことを特徴とする歯ブラシ。
【発明の詳細な説明】
【技術分野】
【０００１】
本発名は、歯ブラシ柄の先端部に装着用筒部及び差し替え用歯ブラシ部の側面と、歯ブラシ柄に、凸部又は凹部を設けた歯ブラシに関する。
【背景技術】
【０００２】
従来の歯ブラシの場合は、歯ブラシ全体の三分の一程度先端部部分を丸ごと交換出来るものもある。
【０００３】
また、その他の平歯ブラシの場合は、使用後は一般ゴミとして破棄されている。
【０００４】
そのため、破棄された歯ブラシは、ゴミとして回収する費用や、輸送及び焼却処分時に二酸化炭素を発生させている。
【発明の開示】
【発明が解決しようとする課題】
【０００５】
以上述べたように従来の歯ブラシの場合は、使用後は歯ブラシ全体をゴミとし破棄するしか方法はなかった。
【０００６】
また、歯ブラシ柄の先端部に設けられている歯ブラシ部装着用筒部は、棒状の歯ブラシ先端部分の棒状の支点の先に厚みが薄く楕円形状に形成されるため、使用中割たり、筒部が左右に首振りしたり、寒中割れたり、折れたりした場合に口膣内で怪我が生じる危険性がある。
【０００７】
本発明は従来の歯ブラシの構成が有していた問題点を解決しようとするものである。差し替え用歯ブラシ部左右先端部側面と、歯ブラシ柄先端部に装着用筒部を設け双方に湾曲状又は、くの字上の凹凸部を設けて、前記差し替え用歯ブラシ部を脱着自在可能に装着でき、かつ、簡単に歯ブラシ部を交換できるようにすることにより、歯ブラシ柄を繰り返し長期間使用可能にするとともに、資源や二酸化炭素削減を目的とするものである。
【課題を解決するための手段】
【０００８】
上記問題点を解決するために、本発明の歯ブラシに付いて説明する。
基板部１０に植毛１９を設けてなる歯ブラシ部１１を、その基板部１０を歯ブラシ柄４，５，６の先端部に設けた筒部７，８，９に嵌めて取り付ける構成の歯ブラシ１，２，３であって、前記基板部１０は、その環状凸部１５，１６、１７又は凹部１２，１３、１４を筒部７，８，９の環状凹部１２，１３、１４又は凸部１５，１６、１７に相互の弾性変形を利用して係合する構成とした歯ブラシ柄４，５，６において、前記基板部１０と筒部７，８，９の嵌め合いを、前記基板部１０の歯ブラシ柄４，５，６方向の凸部１７又は凹部１４と前記筒部７，８，９の歯ブラシ柄４，５，６方向の凹部１４又は凸部１７との間で行う構造としたことを特徴とする歯ブラシである。
上記記載の通り、歯ブラシ柄の先端部に設けられている歯ブラシ部装着用筒部は、棒状の歯ブラシ先端部分の棒状の支点の先に厚みが薄く楕円形状に形成されるため、使用中割たり、筒部が左右に首振りしたり、寒中割れたり、折れたりした場合に口膣内で怪我が生じる危険性があり、そのため、歯ブラシ柄に使用されるプラスチック材料の種類は、プラスチック材料の種類の中でも硬質材料を用いず、割れたり折れたりしない、例えば、弾性を有するポリプロピレン等の柔軟性を有する材料等いることが好ましい。
【０００９】
しかし、図７０に示されている歯ブラシ３０の歯ブラシ柄３１先端部に設けられている歯ブラシ部３３装着用の筒部３２内側側面と、歯ブラシ部３３の左右先端部側面の双方が、湾曲状又は、くの字状の凹凸部３４，３５に設けられているために、上記（０００８）で述べた通り、前記記載の図７０に示されているように、歯ブラシ３０を使用した場合に、歯ブラシ部３３を装着されている先端部の筒部が左右に首振り状態になる。
【００１０】
そのため、本発明の歯ブラシの場合は、上記記載の首振り防止用として、基板部１０の歯ブラシ柄４，５，６方向の凸部１７又は凹部１４と前記筒部７，８，９の歯ブラシ柄４，５，６方向の凹部１４又は凸部１７との間で行う構造としたことを最大の特徴としている。
【００１１】
また、図解されていないが、凹凸部の形状は湾曲状及びくの字状が好ましいが、脱着自在可能であり、かつ、使用中脱落しない形状であれば良く限定するものではない。
【００１２】
上記のように構成された歯ブラシ１，２、３の装着用筒部７，８，９と基板部４の形状は楕円形が好ましいが、特に限定するものではない。
【００１３】
さらに、歯ブラシ部上部表面の形状は、装着部用筒部装着されたとき、上部表面と、平行（面一）又は、湾曲状が好ましいが、使用中口内を傷つけない形状で有ればよく限定するものではない。
【００１４】
さらに、歯ブラシ柄及び歯ブラシ部に設けられる凹凸部の形状は、脱着自在であり、密着性が可能で有れば良く左右同形状であることが好ましいが、限定するものではない。
【００１５】
また、筒部に歯ブラシ部を装着したとき突き抜け防止用としてストッパーを歯ブラシ部の底部周囲に設けられている。
【００１６】
また、設けられているストッパー外周側面の形状は、装着用筒部の底部周囲外側側面と面一に設けることが好ましいが限定するものではない。
【発明の効果】
【００１７】
使用済み後、歯ブラシ全体を破棄することなく、歯ブラシ部だけを交換し歯ブラシ柄は繰り返し長期間使用することが可能である。
【００１８】
歯ブラシ柄を繰り返し使用可能になることにより資源の削減やゴミ削減に貢献できる。
【００１９】
そのため、原料等の削減が可能と成り,さらに、間接的な効果として原料等の輸送及び製品製造工程等に発生していた二酸化炭素排出削減にも貢献可能と成る。
【００２０】
また、ゴミ削減が可能になることにより、従来処分に関わる輸送や焼却経費等の削減が可能と成る。
【００２１】
また、ゴミ削減の効果として、焼却処分量削減等の経費の削減になるとともに、二酸化炭素排出削減にも大いに貢献可能と成る。
【００２２】
また、従来のように歯ブラシ全体を破棄することなく、先端部の差し替え用歯ブラシ部だけを交換して使用できることにより、従来平均値で２−３ヶ月ごとに破棄されていた歯ブラシが、先端部の差し替え用歯ブラシ部を交換するだけという簡単な方法で歯ブラシとして使用できることにより、原材料及び二酸化炭素排出削減に大いに貢献可能と成る、歯ブラシである。
【００２３】
さらに、ホテルや、電動歯ブラシ等を除外しても、通常使用される平ブラシの年間平均使用本数は、統計上で、約3億から4億本と推定されており、使用されているプラスチック、台紙及び包装材料等を考慮した場合で、総重量約6千トンと言われており、歯ブラシ柄を２−３年間使用したと仮定した場合の原材料等の削減や、焼却処分時に発生する二酸化炭素排出削減量は膨大に成る。
【００２４】
また、差し替え用の歯ブラシ部に使用する場合の材料等は極少なく、製造単価も安価でり、そのため安価で提供することが可能となる。
【００２５】
なお、現在常時テレビ報道や、新聞等々で結果、地球温暖化に対する環境意識の高まりつつ有る現在、人々が日常生活の中でエコ削減に何らか形で参加したいと考えてた場合いでも、具体的にどのような方法があるか困難である,しかし,誰でもが日常使用している歯ブラシで、ささやかではあるが、エコ活動に参加しているという認識がもてるように成る、歯ブラシである。
【００２６】
しかし、単に歯ブラシ柄の先端部分に歯ブラシ部装着用筒部を設け、歯ブラシ部を装着して、歯ブラシを使用した場合は、図７０に示されている歯ブラシ３０の歯ブラシ柄３１先端部に設けられている歯ブラシ部３３装着用の筒部３２内側側面３６，３７が、湾曲状及びくの字状の凹凸部３４，３５に設けられているために、前記記載の図７０に示されているように、歯ブラシ３０を使用した場合に、歯ブラシ部３３を装着されている先端部分が左右に首振り状態になる。
【００２７】
上記記載解決手段としての、首振り防止用として、基板部１０の歯ブラシ柄１，２，３方向の凸部１７又は凹部１４と前記筒部７，８，９の歯ブラシ柄１，２，３方向の凹部１４又は凸部１７との間で行う構造としたことを最大の特徴としている。
【発明を実施するための最良の形態】
【００２８】
以下本発明の実施例１の形態を図１から図６に基づき説明する。
【００２９】
図１は、先端部に装着用筒部７を設けた歯ブラシ１の歯ブラシ柄４の平面図である。歯ブラシ柄４の先端部内側側面２ｌ及び２２は、左右側面の凸部１５，１６，１７が湾曲状に形成されている図３の歯ブラシ部１１を装着可能な湾曲状に形成されている筒部７である。尚、双方に歯ブラシ１を使用中、歯ブラシ先端部が左右に首振り防止用としての凹凸部１４，１７を設けられている。
【００３０】
図２は、前記記載の筒部７に装着される基板部１０に歯ブラシ部１１を設けられている平面図である。
【００３１】
２３，２４は左右の側面であり、１７は、歯ブラシ部１１を装着したときに図１の凹部１４に装着して首振り防止用としての凸部であり、２０は、筒部７装着したときの筒抜け防止用のストッパーである。
【００３２】
図３は、２０は、基板部１０底部周囲に前記記載の筒部７に歯ブラシ部１１を装着したとき突き抜け防止用のストッパーであり、また、左右先端部の１５，１６，１７は湾曲状に形成されている凸部である。特に１７は歯ブラシ部先端部が左右に首振り防止用の凸部１７である。１９は植毛された状態であり、歯ブラシ部１１に首振り防止用の湾曲状凸部１５，１６，１７を一体化して設けられて側面図である。
【００３３】
図４は、１は、歯ブラシであり、４は、その歯ブラシ柄である。そして歯ブラシ柄４の先端部に設けられている歯ブラシ部１１装着用の前記筒部７に図３の歯ブラシ部１１を装着した状態を示している歯ブラシ１先端部の側面図であり、２０は、前記で説明したストッパーであり、１９は植毛である。
【００３４】
図５は、図４の底面図である。１０は基板部、１は、歯ブラシ、４は歯ブラシ柄である。２０は、前記記載で説明されているストッパーであり、１９は植毛、１４は、歯ブラシ柄４に、歯ブラシ部１１を、装着し使用したとき首振り防止用として基板部１０と、歯ブラシ柄に設けられている凹凸部１４、１７の状態を示している。
【００３５】
図６は、図４のＡ−Ａ’線横中央断面図である。１は、歯ブラシ、４は、歯ブラシ柄であり、１０は、基板部、１１は、歯ブラシ部、２０は、ストッパー２０であり、１９は、植毛である。そして、１２，１４は歯ブラシ柄４内側側面２１，２２を湾曲状に設けた凹部１２、１４であり、１４，１７は歯ブラシ柄と歯ブラシ部１１の側面２３，２４を、湾曲状に形成し設けた凸部を示している。
【００３６】
上記の通り構成されている歯ブラシ１であり、歯ブラシ部１１を歯ブラシ柄４の筒部７に装着したとき、筒部７の底部より、歯ブラシ部１１のストッパー２０が、突出するよう設けられている。
以下本発明の実施例２の形態を図７から図１２に基づき説明する。
【００３７】
図７は、先端部に装着用筒部７を設けた歯ブラシ１の歯ブラシ柄４の平面図である。歯ブラシ柄４の先端部内側側面２ｌ及び２２は、左右側面の凸部１５，１６，１７が湾曲状に形成されている図３の歯ブラシ部１１を装着可能な湾曲状に形成されている筒部７である。尚、双方に歯ブラシ１を使用中、歯ブラシ先端部が左右に首振り防止用としての凹凸部１４，１７を設けられている。
【００３８】
図８は、前記記載の筒部７に装着される基板部１０に歯ブラシ部１１を設けられている平面図である。２３，２４は左右の側面であり、１７は、歯ブラシ部１１を装着したときに図１の凹部１４に装着して首振り防止用としての凸部であり、２０は、筒部７装着したときの筒抜け防止用のストッパーである。
【００３９】
図９は、２０は、基板部１０底部周囲に前記記載の筒部７に歯ブラシ部１１を装着したとき突き抜け防止用のストッパーであり、また、左右先端部の１５，１６，１７は湾曲状に形成されている凸部である。特に１７は歯ブラシ部先端部が左右に首振り防止用の凸部１７である。１９は植毛された状態であり、歯ブラシ部１１に首振り防止用の湾曲状凸部１５，１６，１７を一体化して設けられて側面図である。
【００４０】
図１０は、１は、歯ブラシであり、４は、その歯ブラシ柄である。そして歯ブラシ柄４の先端部に設けられている歯ブラシ部１１装着用の前記筒部７に図９の歯ブラシ部１１を装着した状態を示している歯ブラシ１先端部の側面図であり、２０は、前記で説明したストッパーであり、１９は植毛である。
【００４１】
図１１は、図１０の底面図である。１０は基板部、１は、歯ブラシ、４は歯ブラシ柄である。２０は、前記記載で説明されているストッパーであり、１９は植毛、１４は、歯ブラシ柄４に、歯ブラシ部１１を、装着し使用したとき首振り防止用として基板部１０と、歯ブラシ柄に設けられている凹凸部１４、１７の状態を示している。
【００４２】
図１２は、図４のＡ−Ａ’線横中央断面図である。１は、歯ブラシ、４は、歯ブラシ柄であり、１０は、基板部、１１は、歯ブラシ部、２０は、ストッパー２０であり、１９は、植毛である。そして、１２，１４は歯ブラシ柄４内側側面２１，２２を湾曲状に設けた凹部１２、１４であり、１４，１７は歯ブラシ柄と歯ブラシ部１１の側面２３，２４を、湾曲状に形成し設けた凸部を示している。
【００４３】
上記の通り構成されている歯ブラシ１であり、歯ブラシ部１１を歯ブラシ柄４の筒部７に装着したとき、筒部７の底部と、歯ブラシ部１１のストッパー２０の底部が面一になるよう設けられている。
以下本発明の実施例３の図１３から図１８に基づき説明する。
図１３は、先端部に装着用筒部７を設けた歯ブラシ１の歯ブラシ柄４の平面図である。歯ブラシ柄４の先端部内側側面２ｌ及び２２は、左右側面の凸部１５，１６，１７が湾曲状に形成されている図３の歯ブラシ部１１を装着可能な湾曲状に形成されている筒部７である。尚、双方に歯ブラシ１を使用中、歯ブラシ先端部が左右に首振り防止用としての凹凸部１４，１７を設けられている。
【００４４】
図１４は、前記記載の筒部７に装着される基板部１０に歯ブラシ部１１を設けられている平面図である。２３，２４は左右の側面であり、１７は、歯ブラシ部１１を装着したときに図１の凹部１４に装着して首振り防止用としての凸部であり、２０は、筒部７装着したときの筒抜け防止用のストッパーである。
図１５は、２０は、基板部１０底部周囲に前記記載の筒部７に歯ブラシ部１１を装着したとき突き抜け防止用のストッパーであり、また、左右先端部の１５，１６，１７は湾曲状に形成されている凸部である。特に１７は歯ブラシ部先端部が左右に首振り防止用の凸部１７である。１９は植毛された状態であり、歯ブラシ部１１に首振り防止用の湾曲状凸部１５，１６，１７を一体化して設けられて側面図である。
【００４５】
図１６は、１は、歯ブラシであり、４は、その歯ブラシ柄である。そして歯ブラシ柄４の先端部に設けられている歯ブラシ部１１装着用の前記筒部７に図１５の歯ブラシ部１１を装着した状態を示している歯ブラシ１先端部の側面図であり、２０は、前記で説明したストッパーであり、１９は植毛である。
図１７は、図１６の底面図である。１０は基板部、１は、歯ブラシ、４は歯ブラシ柄である。２０は、前記記載で説明されているストッパーであり、１９は植毛、１４は、歯ブラシ柄４に、歯ブラシ部１１を、装着し使用したとき首振り防止用として基板部１０と、歯ブラシ柄に設けられている凹凸部１４、１７の状態を示している。
【００４６】
図１８は、図４のＡ−Ａ’線横中央断面図である。１は、歯ブラシ、４は、歯ブラシ柄であり、１０は、基板部、１１は、歯ブラシ部、２０は、ストッパー２０であり、１９は、植毛である。そして、１２，１４は歯ブラシ柄４内側側面２１，２２を湾曲状に設けた凹部１２、１４であり、１４，１７は歯ブラシ柄と歯ブラシ部１１の側面２３，２４を、湾曲状に形成し設けた凸部を示している。
【００４７】
上記の通り構成されている歯ブラシ１であり、歯ブラシ部１１を歯ブラシ柄４の筒部７に装着したとき、筒部７の底部と、歯ブラシ部１１の凸部１６，１７の底部が面一になる様設けられている。
【００４８】
以下本発明の実施例４の形態を図１９から図２４に基づいて説明する。
図１９は、先端部に装着用筒部７を設けた歯ブラシ１の歯ブラシ柄４の平面図である。歯ブラシ柄４の先端部内側側面２ｌ及び２２は、左右側面の凸部１５，１６，１７が、くの字状に形成されている図３の歯ブラシ部１１を装着可能な、くの字状に形成されている筒部７である。尚、双方に歯ブラシ１を使用中、歯ブラシ先端部が左右に首振り防止用としての凹凸部１４，１７を設けられている。
【００４９】
図２０は、前記記載の筒部７に装着される基板部１０に歯ブラシ部１１を設けられている平面図である。２３，２４は左右の側面であり、１７は、歯ブラシ部１１を装着したときに図１の凹部１４に装着して首振り防止用としての凸部であり、２０は、筒部７装着したときの筒抜け防止用のストッパーである。
【００５０】
図２１は、２０は、基板部１０底部周囲に前記記載の筒部７に歯ブラシ部１１を装着したとき突き抜け防止用のストッパーであり、また、左右先端部の１５，１６，１７は、くの字状に形成されている凸部である。特に１７は歯ブラシ部先端部が左右に首振り防止用の凸部１７である。１９は植毛された状態であり、歯ブラシ部１１に首振り防止用の、くの字状凸部１５，１６，１７を一体化して設けられて側面図である。
【００５１】
図２２は、１は、歯ブラシであり、４は、その歯ブラシ柄である。そして歯ブラシ柄４の先端部に設けられている歯ブラシ部１１装着用の前記筒部７に図２１の歯ブラシ部１１を装着した状態を示している歯ブラシ１先端部の側面図であり、２０は、前記で説明したストッパーであり、１９は植毛である。
【００５２】
図２３は、図２２の底面図である。１０は基板部、１は、歯ブラシ、４は歯ブラシ柄である。２０は、前記記載で説明されているストッパーであり、１９は植毛、１４は、歯ブラシ柄４に、歯ブラシ部１１を、装着し使用したとき首振り防止用として基板部１０と、歯ブラシ柄に設けられている凹凸部１４、１７の状態を示している。
【００５３】
図２４は、図４のＡ−Ａ’線横中央断面図である。１は、歯ブラシ、４は、歯ブラシ柄であり、１０は、基板部、１１は、歯ブラシ部、２０は、ストッパー２０であり、１９は、植毛である。そして、１２，１４は歯ブラシ柄４内側側面２１，２２を、くの字状に設けた凹部１２、１４であり、１４，１７は歯ブラシ柄と歯ブラシ部１１の側面２３，２４を、くの字状に形成し設けた凸部を示している。
【００５４】
上記の通り構成されている歯ブラシ１であり、歯ブラシ部１１を歯ブラシ柄４の筒部７に装着したとき、筒部７の底部より、歯ブラシ部１１のストッパー２０が突出するよう設けられている。
【００５５】
以下本発明の実施例５の形態を図２５から図３０に基づき説明する。
図２５は、先端部に装着用筒部７を設けた歯ブラシ１の歯ブラシ柄４の平面図である。歯ブラシ柄４の先端部内側側面２ｌ及び２２は、左右側面の凸部１５，１６，１７が、くの字状に形成されている図３の歯ブラシ部１１を装着可能な、くの字状に形成されている筒部７である。尚、双方に歯ブラシ１を使用中、歯ブラシ先端部が左右に首振り防止用としての凹凸部１４，１７を設けられている。
【００５６】
図２６は、前記記載の筒部７に装着される基板部１０に歯ブラシ部１１を設けられている平面図である。２３，２４は左右の側面であり、１７は、歯ブラシ部１１を装着したときに図１の凹部１４に装着して首振り防止用としての凸部であり、２０は、筒部７装着したときの筒抜け防止用のストッパーである。
【００５７】
図２７は、２０は、基板部１０底部周囲に前記記載の筒部７に歯ブラシ部１１を装着したとき突き抜け防止用のストッパーであり、また、左右先端部の１５，１６，１７は、くの字状に形成されている凸部である。特に１７は歯ブラシ部先端部が左右に首振り防止用の凸部１７である。１９は植毛された状態であり、歯ブラシ部１１に首振り防止用の、くの字状凸部１５，１６，１７を一体化して設けられて側面図である。
【００５８】
図２８は、１は、歯ブラシであり、４は、その歯ブラシ柄である。そして歯ブラシ柄４の先端部に設けられている歯ブラシ部１１装着用の前記筒部７に図２７の歯ブラシ部１１を装着した状態を示している歯ブラシ１先端部の側面図でり、２０は、前記で説明したストッパーであり、１９は植毛である。
【００５９】
図２９は、図２８の底面図である。１０は基板部、１は、歯ブラシ、４は歯ブラシ柄である。２０は、前記記載で説明されているストッパーであり、１９は植毛、１４は、歯ブラシ柄４に、歯ブラシ部１１を、装着し使用したとき首振り防止用として基板部１０と、歯ブラシ柄に設けられている凹凸部１４、１７の状態を示している。
【００６０】
図３０は、図４のＡ−Ａ’線横中央断面図である。１は、歯ブラシ、４は、歯ブラシ柄であり、１０は、基板部、１１は、歯ブラシ部、２０は、ストッパー２０であり、１９は、植毛である。そして、１２，１４は歯ブラシ柄４内側側面２１，２２を、くの字状に設けた凹部１２、１４であり、１４，１７は歯ブラシ柄と歯ブラシ部１１の側面２３，２４を、くの字状に形成し設けた凸部を示している。
【００６１】
上記の通り構成されている歯ブラシ１であり、歯ブラシ部１１を歯ブラシ柄４の筒部７に装着したとき、歯ブラシ部１１の底部と、歯ブラシ柄４の低部が、面一に設けられている。
【００６２】
以下本発明の実施例６の図３１から図３６に基づき説明する。
図３１は、先端部に装着用筒部７を設けた歯ブラシ１の歯ブラシ柄４の平面図である。歯ブラシ柄４の先端部内側側面２ｌ及び２２は、左右側面の凸部１５，１６，１７が、くの字状に形成されている図３の歯ブラシ部１１を装着可能な、くの字状に形成されている筒部７である。尚、双方に歯ブラシ１を使用中、歯ブラシ先端部が左右に首振り防止用としての凹凸部１４，１７を設けられている。
【００６３】
図３２は、前記記載の筒部７に装着される基板部１０に歯ブラシ部１１を設けられている平面図である。２３，２４は左右の側面であり、１７は、歯ブラシ部１１を装着したときに図１の凹部１４に装着して首振り防止用としての凸部であり、２０は、筒部７装着したときの筒抜け防止用のストッパーである。
【００６４】
図３３は、２０は、基板部１０底部周囲に前記記載の筒部７に歯ブラシ部１１を装着したとき突き抜け防止用のストッパーであり、また、左右先端部の１５，１６，１７は、くの字状に形成されている凸部である。特に１７は歯ブラシ部先端部が左右に首振り防止用の凸部１７である。１９は植毛された状態であり、歯ブラシ部１１に首振り防止用の、くの字状凸部１５，１６，１７を一体化して設けられて側面図である。
【００６５】
図３４は、１は、歯ブラシであり、４は、その歯ブラシ柄である。そして歯ブラシ柄４の先端部に設けられている歯ブラシ部１１装着用の前記筒部７に図３３の歯ブラシ部１１を装着した状態を示している歯ブラシ１先端部の側面図であり、２０は、前記で説明したストッパーであり、１９は植毛である。
【００６６】
図３５は、図３４の底面図である。１０は基板部、１は、歯ブラシ、４は歯ブラシ柄である。２０は、前記記載で説明されているストッパーであり、１９は植毛、１４は、歯ブラシ柄４に、歯ブラシ部１１を、装着し使用したとき首振り防止用として基板部１０と、歯ブラシ柄に設けられている凹凸部１４、１７の状態を示している。
【００６７】
図３６は、図４のＡ−Ａ’線横中央断面図である。１は、歯ブラシ、４は、歯ブラシ柄であり、１０は、基板部、１１は、歯ブラシ部、２０は、ストッパー２０であり、１９は、植毛である。そして、１２，１４は歯ブラシ柄４内側側面２１，２２を、くの字状に設けた凹部１２、１４であり、１４，１７は歯ブラシ柄と歯ブラシ部１１の側面２３，２４を、くの字状に形成し設けた凸部を示している。
【００６８】
上記の通り構成されている歯ブラシ１であり、歯ブラシ部１１を歯ブラシ柄４の筒部７に装着したとき、歯ブラシ部１１の凸１４、１７は、歯ブラシ柄４の低部と面一に設けられている。
【００６９】
以下本発明の実施例7の図37から図５２に基づき説明する。
【００７０】
図３７は、先端部に装着用筒部７を設けた歯ブラシ２の歯ブラシ柄５の平面図である。歯ブラシ柄４の先端部内側側面２ｌ及び２２は、左右側面の凸部１５，１６，１７が湾曲状に形成されている。
【００７１】
図３８は、図３７の底面図である。図３１は、先端部に装着用筒部７を設けた歯ブラシ２の歯ブラシ柄５の平面図である。歯ブラシ柄４の先端部内側側面２ｌ及び２２は、左右側面の凸部１５，１６，１７が湾曲状に形成されている筒部７である。尚、双方に歯ブラシ１使用中歯ブラシ先端部が左右に首振り防止用としての凹凸部１４，１７を設けられている。
【００７２】
図３９は、図３歯ブラシ部１１の平面図である。２３，２４は左右の側面であり、１７は、歯ブラシ部１１を装着したときに図３８の凹部１４に装着して首振り防止用としての凸部であり、２０は、筒部７装着時筒抜け防止用のストッパーである。
【００７３】
図４０は、図３９の底面図である。１０は基板部であり、１１は歯ブラシ部である。２０は、図３７の筒部８に装着するとき突き抜け防止用のストッパーであり、１９は植毛した状態を示している。１７は、図３９８の底面図方向から筒部８に装着したとき、歯ブラシ２先端部が左右に首振り防止用の凸部１７である。
【００７４】
図４１は、図３７の筒部８に装着される歯ブラシ部１１の側面図である。基板部１０の底部に前記筒部８に装着するとき突き抜け防止用のストッパー２０と、植毛１９された歯ブラシ部１１の左右側面は湾曲状の凸部１５，１６，１７を形成されており、１６の凸部上部は歯ブラシ柄５の上部より突き抜けないよう段差１８ａを設けられている。
【００７５】
図４２は、図４１を図３７に装着した状態の場合のＣ−Ｃ’方向横中央断面図である。１０は基板部であり、１１は歯ブラシ部である。そして、歯ブラシ２の歯ブラシ柄５先端部の設けられている歯ブラシ部１１装着用の筒部８に装着されて状態を示している。１２，１４は凹部であり、１５、１７は、凸部であり、１９は植毛した状態を示している。そして、装着されている歯ブラシ部ｌｌ低部のストッパー２０の低部と歯ブラシ柄底部は面一状に設けられている。
【００７６】
図４３は、図３７の筒部８に装着される歯ブラシ部１１の側面図である。基板部１０の底部に前記筒部８に装着するとき突き抜け防止用のストッパー２０と、植毛１９された歯ブラシ部１１の左右側面は湾曲状の凸部１５，１６，１７を形成されており、１６の凸部上部は歯ブラシ柄５の上部より突き抜けないよう段差１８ａを設けられている。
【００７７】
図４４は、図４１を図３７に装着した状態の場合のＣ−Ｃ’方向横中央断面図である。１０は基板部であり、１１は歯ブラシ部である。そして、歯ブラシ２の歯ブラシ柄５先端部の設けられている歯ブラシ部１１装着用の筒部８に装着されて状態を示している。１２，１４は凹部であり、１５、１７は、凸部であり、１９は植毛した状態を示している。そして、装着されている歯ブラシ部ｌｌ低部のストッパー２０の低部は、歯ブラシ柄５の底部より、突出して設けられている。
【００７８】
図４５は、図３７の筒部８に装着される歯ブラシ部１１の側面図である。基板部１０の底部に前記筒部８に装着するとき突き抜け防止用のストッパー２０と、植毛１９された歯ブラシ部１１の左右側面は湾曲状の凸部１５，１６，１７を形成されており、１６の凸部上部は歯ブラシ柄５の上部より突き抜けないよう段差１８ａを設けられている。
【００７９】
図４６は、図４５を図３７に装着した状態の場合のＣ−Ｃ’方向横中央断面図である。１０は基板部であり、１１は歯ブラシ部である。そして、歯ブラシ２の歯ブラシ柄５先端部の設けられている歯ブラシ部１１装着用の筒部８に装着されて状態を示している。１２，１４は凹部であり、１５、１７は、凸部であり、１９は植毛した状態を示している。そして、装着されている歯ブラシ部ｌｌ低部のストッパー２０の低部は、歯ブラシ柄５の底部より、突出して設けられている。
尚、上記図３７から図４６までの筒部８及び歯ブラシ部１１の側面は湾曲状に形成されている。
【００８０】
図４７は、図３７の筒部８に装着される歯ブラシ部１１の側面図である。基板部１０の底部に前記筒部８に装着するとき突き抜け防止用のストッパー２０と、植毛１９された歯ブラシ部１１の左右側面は、くの字状の凸部１５，１６，１７を形成されており、１６の凸部上部は歯ブラシ柄５の上部より突き抜けないよう段差１８ａを設けられている。
【００８１】
図４８は、図４７を図３７に装着した状態の場合のＣ−Ｃ’方向横中央断面図である。１０は基板部であり、１１は歯ブラシ部である。そして、歯ブラシ２の歯ブラシ柄５先端部の設けられている歯ブラシ部１１装着用の筒部８に装着されて状態を示している。１２，１４は凹部であり、１５、１７は、凸部である。双方共に、くの字状に形成されており、１９は植毛した状態を示している。そして、装着されている歯ブラシ部ｌｌ低部のストッパー２０の低部は、歯ブラシ柄５の底部より、突出して設けられている。
【００８２】
図４９は、図３７の筒部８に装着される歯ブラシ部１１の側面図である。基板部１０の底部に前記筒部８に装着するとき突き抜け防止用のストッパー２０と、植毛１９された歯ブラシ部１１の左右側面は、くの字状の凸部１５，１６，１７を形成されており、１６の凸部上部は歯ブラシ柄５の上部より突き抜けないよう段差１８ａを設けられている。
【００８３】
図５０は、図４７を図３７に装着した状態の場合のＣ−Ｃ’方向横中央断面図である。１０は基板部であり、１１は歯ブラシ部である。そして、歯ブラシ２の歯ブラシ柄５先端部の設けられている歯ブラシ部１１装着用の筒部８に装着されて状態を示している。１２，１４は凹部であり、１５、１７は、凸部である。双方共に、くの字状に形成されており、１９は植毛した状態を示している。そして、装着されている歯ブラシ部ｌｌ低部のストッパー２０の低部と、歯ブラシ柄５の底部は面一に設けられている。
【００８４】
図５１は、図３７の筒部８に装着される歯ブラシ部１１の側面図である。基板部１０の底部に前記筒部８に装着するとき突き抜け防止用のストッパー２０と、植毛１９された歯ブラシ部１１の左右側面は、くの字状の凸部１５，１６，１７を形成されており、１６の凸部上部は歯ブラシ柄５の上部より突き抜けないよう段差１８ａを設けられている。
【００８５】
図５２は、図５１を図３７に装着した状態の場合のＣ−Ｃ’方向横中央断面図である。１０は基板部であり、１１は歯ブラシ部である。そして、歯ブラシ２の歯ブラシ柄５先端部の設けられている歯ブラシ部１１装着用の筒部８に装着されて状態を示している。１２，１４は凹部であり、１５、１７は、凸部である。双方共に、くの字状に形成されており、１９は植毛した状態を示している。そして、装着されている歯ブラシ部ｌｌ低部のストッパー２０の低部と、歯ブラシ柄５の底部は面一に設けられている。
【００８６】
図４８から図５２までの筒部８内側及び歯ブラシ部１１の双方の先端部側面の形状は、くの字状に形成されている。
【００８７】
以下本発明の実施例の図５３から図６８に基づき説明する。
図５３は、歯ブラシ3であり、６は歯ブラシ柄である。そして、歯ブラシ柄６の先端部に歯ブラシ部装着用の筒部９歯ブラシ柄６に凸部１６を設けられている平面図である。２１，２２は筒部９の側面である。
【００８８】
図５４は、図５３に図５７を装着した状態の底面図である。１０は基板部、１１は歯ブラシ部、２０はストッパー、１９は植毛した状態を示しており、１３と１６は、装着したときの歯ブラシ３先端部が左右に首振り防止用の凹凸部である。
【００８９】
図５５は、歯ブラシ部１１の平面図である。２３，２４は湾曲状に形成された側面であり、１０は基板部、２０は、ストッパー、１３は凹部を示している。
【００９０】
図５６は、図５５の底面図である。１３は首振り防止用の凹部、１０は、基板部、１１は、歯ブラシ部、２０は、ストッパー、そして、１９は植毛した状態を示している。
【００９１】
図５７は、図５３の筒部９に装着する歯ブラシ部１１の側面図である。１０は、基板部、１１は、歯ブラシ部、１５，１６は湾曲状の凸部であり、２０は、装着したときの突き抜け防止用のストッパーである。そして１９は、植毛した状態を示している。
【００９２】
図５８は、図５７の歯ブラシ部１１を、図５３の筒部９に装着した状態のＤ−Ｄ’方向の横中央断面図である。３は歯ブラシ、６は、歯ブラシ柄、１おは、基板部、１１は、歯ブラシ部、２０は、ストッパー、１９は、植毛、１２，１５、及び１３，１６は湾曲状に形成されている凹凸部である。
【００９３】
図５９は、図５３の筒部９に装着する歯ブラシ部１１の側面図である。１０は、基板部、１１は、歯ブラシ部、１５，１６は湾曲状の凸部であり、２０は、装着したときの突き抜け防止用のストッパーである。そして１９は、植毛した状態を示している。
【００９４】
図６０は、図５９の歯ブラシ部１１を、図５３の筒部９に装着した状態のＤ−Ｄ’方向の横中央断面図である。３は歯ブラシ、６は、歯ブラシ柄、１おは、基板部、１１は、歯ブラシ部、２０は、ストッパー、１９は、植毛、１２，１５、及び１３，１６は湾曲状に形成されている凹凸部である。
図６１は、図５３の筒部９に装着する歯ブラシ部１１の側面図である。１０は、基板部、１１は、歯ブラシ部、１５，１６は湾曲状の凸部であり、２０は、装着したときの突き抜け防止用のストッパーである。そして１９は、植毛した状態を示している。
【００９５】
図６２は、図６１の歯ブラシ部１１を、図５３の筒部９に装着した状態のＤ−Ｄ’方向の横中央断面図である。３は歯ブラシ、６は、歯ブラシ柄、１おは、基板部、１１は、歯ブラシ部、２０は、ストッパー、１９は、植毛、１２，１５、及び１３，１６は湾曲状に形成されている凹凸部である。
【００９６】
図６３は、図５３の筒部９に装着される歯ブラシ部１１の側面図である。基板部１０の底部には、前記記載の筒部9装着時突き抜け防止用としてのストッパー１３と、左右側面をくの字状に設けられている凸部１５，１６であり、１９は植毛である。
図６４は、図５７の歯ブラシ部１１を図５３の筒部９に装着した状態のときのＤ−Ｄ’方向中央断面を示す図である。６は、歯ブラシ３の歯ブラシ柄であり、１０は基板部、１１は、歯ブラシ部である。さらに、歯ブラシ柄６の内側側面は凹部１２、１３は湾曲状に設けられており、歯ブラシ部１１左右先端部も凸部１５，１６も同様に湾曲状に設けられている。２０は、歯ブラシ部１１を前記記載の筒部９装着時突き抜け防止用のストッパーであり、１９は植毛である。
【００９７】
図６５は、図５３の筒部９に装着される歯ブラシ部１１の側面図である。基板部１０の底部には、前記記載の筒部9装着時突き抜け防止用としてのストッパー１３と、左右側面をくの字状に設けられている凸部１５，１６であり、１９は植毛である。
【００９８】
図６６は、図５７の歯ブラシ部１１を図５３の筒部９に装着した状態のときのＤ−Ｄ’方向中央断面を示す図である。６は、歯ブラシ３の歯ブラシ柄であり、１０は基板部、１１は、歯ブラシ部である。さらに、歯ブラシ柄６の内側側面は凹部１２、１３は湾曲状に設けられており、歯ブラシ部１１左右先端部も凸部１５，１６も同様に湾曲状に設けられている。２０は、歯ブラシ部１１を前記記載の筒部９装着時突き抜け防止用のストッパーであり、１９は植毛である。
【００９９】
図６７は、図５３の筒部９に装着される歯ブラシ部１１の側面図である。基板部１０の底部には、前記記載の筒部9装着時突き抜け防止用としてのストッパー１３と、左右側面をくの字状に設けられている凸部１５，１６であり、１９は植毛である。
【０１００】
図６８は、図５７の歯ブラシ部１１を図５３の筒部９に装着した状態のときのＤ−Ｄ’方向中央断面を示す図である。６は、歯ブラシ３の歯ブラシ柄であり、１０は基板部、１１は、歯ブラシ部である。さらに、歯ブラシ柄６の内側側面は凹部１２、１３は湾曲状に設けられており、歯ブラシ部１１左右先端部も凸部１５，１６も同様に湾曲状に設けられている。２０は、歯ブラシ部１１を前記記載の筒部９装着時突き抜け防止用のストッパーであり、１９は植毛である。
【０１０１】
図５３から図６２までの筒部9内側及び歯ブラシ部１１双方の左右先端部内側側面の形状は、湾曲状であり、図６３から図６８までは、くの字状に設けられている。
【０１０２】
図６９は、図４、図１６、図２２及び図３６のB−B’方向端面図である。１０は、基板部であり、１１は、歯ブラシ部、筒部側面２１，２２であり、７，８，９は装着用筒部７，８，９を示している。
【０１０３】
図７０に示されている歯ブラシ３０の歯ブラシ柄３１先端部に設けられている歯ブラシ部３３装着用の筒部３２内側側面と、歯ブラシ部３３の左右先端部側面の双方が、湾曲状又は、くの字状の凹凸部３４，３５に設けられているために、上記（０００８）で述べた通り、前記記載の図７０に示されているように、歯ブラシ３０を使用した場合に、歯ブラシ部３３を装着されているはぶらし柄の支点の先端部の筒部が前記支点よりの先端部が左右に首振り状態になる。
【図面の簡単な説明】
【０１０４】
【図１】歯ブラシ柄の先端部の平面図である。
【図２】歯ブラシ部の平面図である。
【図３】歯ブラシ部の側面図である。
【図４】図１に図３を装着した歯ブラシの側面図である。
【図５】図４の底面図である。
【図６】図４のＡ−Ａ’線横中央断面図である。
【図７】歯ブラシ柄の先端部の平面図である。
【図８】歯ブラシ部の平面図である。
【図９】歯ブラシ部の側面図である。
【図１０】図７に図９を装着した歯ブラシの側面図である。
【図１１】図１０の底面図である。
【図１２】図１０のＡ−Ａ’線横中央断面図である。
【図１３】歯ブラシ柄の先端部の平面図である。
【図１４】歯ブラシ部の平面図である。
【図１５】歯ブラシ部の側面図である。
【図１６】図１３に図１５を装着した歯ブラシの側面図である。
【図１７】図１６の底面図である。
【図１８】図１６のＡ−Ａ’線横中央断面図である。
【図１９】歯ブラシ柄の先端部の平面図である。
【図２０】歯ブラシ部の平面図である。
【図２１】歯ブラシ部の側面図である。
【図２２】図１９に図２１を装着した歯ブラシの側面図である。
【図２３】図２２の底面図である。
【図２４】図２２のＡ−Ａ’線横中央断面図である。
【図２５】歯ブラシ柄の先端部の平面図である。
【図２６】歯ブラシ部の平面図である。
【図２７】歯ブラシ部の側面図である。
【図２８】図２５に図２７を装着した歯ブラシの側面図である。
【図２９】図２８の底面図である。
【図３０】図２８のＡ−Ａ’線横中央断面図である。
【図３１】歯ブラシ柄の先端部の平面図である。
【図３２】歯ブラシ部の平面図である。
【図３３】歯ブラシ部の側面図である。
【図３４】図３１に図３３を装着した歯ブラシの側面図である。
【図３５】図３４の底面図である。
【図３６】図３４のＡ−Ａ’線横中央断面図である
【図３７】歯ブラシ柄の先端部の平面図である。
【図３８】図３７の底面図である。
【図３９】歯ブラシ部の平面図である。
【図４０】図３９の底面図である。
【図４１】歯ブラシ部の側面図である。
【図４２】図３７に図４１の歯ブラシ部を装着した状態のときの、Ｃ−Ｃ’方向の中央横断面図である。
【図４３】歯ブラシ部の側面図である。
【図４４】図３７に図４３の歯ブラシ部を装着した状態のときの、Ｃ−Ｃ’方向の中央横断面図である。
【図４５】歯ブラシ部の側面図である。
【図４６】図３７に図４５の歯ブラシ部を装着した状態のときの、Ｃ−Ｃ’方向の中央横断面図である。
【図４７】歯ブラシ部の側面図である。
【図４８】図３７に図４７の歯ブラシ部を装着した状態のときの、Ｃ−Ｃ’方向の中央横断面図である。
【図４９】歯ブラシ部の側面図である。
【図５０】図３７に図４９の歯ブラシ部を装着した状態のときの、Ｃ−Ｃ’方向の中央横断面図である。
【図５１】歯ブラシ部の側面図である。
【図５２】図３７に図５１の歯ブラシ部を装着した状態のときの、Ｃ−Ｃ’方向の中央横断面図である。
【図５３】歯ブラシ柄の先端部の平面図である。
【図５４】図５５の歯ブラシ部を図５３に装着したときの、底面図である。
【図５５】歯ブラシ部の平面図である。
【図５６】図５５の歯ブラシ部の底面図である。
【図５７】歯ブラシ部の側面図である。
【図５８】図５７の歯ブラシ部を図５３の歯ブラシ柄に装着した状態のときの、Ｄ−Ｄ’方向横中央断面図である。
【図５９】歯ブラシ部の側面図である。
【図６０】図５９の歯ブラシ部を図５３の歯ブラシ柄に装着した状態のときの、Ｄ−Ｄ’方向横中央断面図である。
【図６１】歯ブラシ部の側面図である。
【図６２】図６１の歯ブラシ部を図５３の歯ブラシ柄に装着した状態のときの、Ｄ−Ｄ’方向横中央断面図である。
【図６３】歯ブラシ部の側面図である。
【図６４】図６３の歯ブラシ部を図５３の歯ブラシ柄に装着した状態のときの、Ｄ−Ｄ’方向横中央断面図である。
【図６５】歯ブラシ部の側面図である。
【図６６】図６５の歯ブラシ部を図５３の歯ブラシ柄に装着した状態のときの、Ｄ−Ｄ’方向横中央断面図である。
【図６７】歯ブラシ部の側面図である。
【図６８】図６７の歯ブラシ部を図５３の歯ブラシ柄に装着した状態のときの、Ｄ−Ｄ’方向横中央断面図である。
【図６９】歯ブラシ部Ｂ−Ｂ’方向の端面図である。
【図７０】歯ブラシ先端部が左右に首振り状態を示している参考図である。
【符号の説明】
【０１０５】
歯ブラシ    １，２，３、３０
歯ブラシ柄  ４．５．６  ３１
筒部        ７，８，９  ３２
基板部      １０  
歯ブラシ部  １１、３３
凹部        １２，１３，１４、３４、
凸部        １５，１６，１７、３５
段差        １８,１８a
植毛        １９
ストッパー  ２０  
側面        ２１，２２，２３，２４                
支点        ３６
方向        Ａ−Ａ’ ,Ｂ−Ｂ’  
【要約】
【課題】従来の歯ブラシの場合は,使用後破棄されゴミとして焼却処分する方法しかなく、資源の無駄使いであり、かつ、二酸化炭素を発生させていた。
【解決手段】歯ブラシ柄先端部に差し替え用の歯ブラシ部装着用筒部を設けて装着したときに、歯ブラシ先端部が左右に振れないよう双方に防止用の凹凸部を設けられている、前記記載の歯ブラシ筒部と、差し替え用のブラシ部を別途設けることにより適宜期間使用した後に、差し替え用の歯ブラシ部を簡単な手段で交換可能にした歯ブラシである。また、歯ブラシ柄繰り返して使用可能に成るとともに、ゴミの削減はもとより二酸化酸素削減に大いに貢献可能となる歯ブラシの提供を目的とする。
【選択図】  図４【図１】
0004643757.tif 000002
【図２】
0004643757.tif 000003
【図３】
0004643757.tif 000004
【図４】
0004643757.tif 000005
【図５】
0004643757.tif 000006
【図６】
0004643757.tif 000007
【図７】
0004643757.tif 000008
【図８】
0004643757.tif 000009
【図９】
0004643757.tif 000010
【図１０】
0004643757.tif 000011
【図１１】
0004643757.tif 000012
【図１２】
0004643757.tif 000013
【図１３】
0004643757.tif 000014
【図１４】
0004643757.tif 000015
【図１５】
0004643757.tif 000016
【図１６】
0004643757.tif 000017
【図１７】
0004643757.tif 000018
【図１８】
0004643757.tif 000019
【図１９】
0004643757.tif 000020
【図２０】
0004643757.tif 000021
【図２１】
0004643757.tif 000022
【図２２】
0004643757.tif 000023
【図２３】
0004643757.tif 000024
【図２４】
0004643757.tif 000025
【図２５】
0004643757.tif 000026
【図２６】
0004643757.tif 000027
【図２７】
0004643757.tif 000028
【図２８】
0004643757.tif 000029
【図２９】
0004643757.tif 000030
【図３０】
0004643757.tif 000031
【図３１】
0004643757.tif 000032
【図３２】
0004643757.tif 000033
【図３３】
0004643757.tif 000034
【図３４】
0004643757.tif 000035
【図３５】
0004643757.tif 000036
【図３６】
0004643757.tif 000037
【図３７】
0004643757.tif 000038
【図３８】
0004643757.tif 000039
【図３９】
0004643757.tif 000040
【図４０】
0004643757.tif 000041
【図４１】
0004643757.tif 000042
【図４２】
0004643757.tif 000043
【図４３】
0004643757.tif 000044
【図４４】
0004643757.tif 000045
【図４５】
0004643757.tif 000046
【図４６】
0004643757.tif 000047
【図４７】
0004643757.tif 000048
【図４８】
0004643757.tif 000049
【図４９】
0004643757.tif 000050
【図５０】
0004643757.tif 000051
【図５１】
0004643757.tif 000052
【図５２】
0004643757.tif 000053
【図５３】
0004643757.tif 000054
【図５４】
0004643757.tif 000055
【図５５】
0004643757.tif 000056
【図５６】
0004643757.tif 000057
【図５７】
0004643757.tif 000058
【図５８】
0004643757.tif 000059
【図５９】
0004643757.tif 000060
【図６０】
0004643757.tif 000061
【図６１】
0004643757.tif 000062
【図６２】
0004643757.tif 000063
【図６３】
0004643757.tif 000064
【図６４】
0004643757.tif 000065
【図６５】
0004643757.tif 000066
【図６６】
0004643757.tif 000067
【図６７】
0004643757.tif 000068
【図６８】
0004643757.tif 000069
【図６９】
0004643757.tif 000070
【図７０】
0004643757.tif 000071